(57)【要約】【課題】モバイル端末を使用させないために金庫の中などに保管すると、その間は充電できないという問題があった。モバイル端末の使用を制限するためのアプリケーションは、電子機器の扱いを得意としない者には、利用が困難である場合があった。また、アプリケーションの扱いに習熟している者の場合、使用制限を解除可能であり得るという問題があった。【解決手段】セキュリティシールが貼付されたフラップ部を有し、一方の面が透明であり、他方の面が不透明または内容物の視認を妨げる印刷が施された、モバイル端末用の袋を提供する。モバイル端末を袋に入れている間は、表示部の表示を視認することができず、実質的にモバイル端末を使用することができない。セキュリティシールが剥がされていなければ、袋が開封されていないことが明白である。また、袋の底部に穴が空いていることにより、充電を行うことができる。【選択図】図１
2020026311.tif 000002
【特許請求の範囲】
【請求項１】
セキュリティシールが貼付されたフラップ部を有し、
一方の面が透明であり、
他方の面が不透明または内容物の視認を妨げる印刷が施された、
モバイル端末用の袋。
【請求項２】
底部に穴を有する、請求項１に記載の袋。
【発明の詳細な説明】
【技術分野】
【０００１】  本発明は、モバイル端末を収容することにより、モバイル端末の使用を制限するための袋に関する。
【背景技術】
【０００２】  モバイル端末の使用を制限するため、使用を望む者の手の届かない場所、例えば金庫の中などに保管することがあった。しかし、金庫の中などに保管すると、その間は充電を行えず、次回使用する際に支障をきたすという問題があった。【０００３】  モバイル端末の機能を制限するためのアプリケーションも存在するが、設定が必要であるなど、電子機器の扱いを得意としない者には利用が困難である場合があった。そのため、より簡便な方法で、モバイル端末を使用していないことが明白となる方法が必要であった。
【先行技術文献】
【特許文献】
【０００４】
【特許文献１】特許第６０１６２８１号公報
【０００５】
【特許文献２】特開２０１６−１６９０２９号公報
【発明が解決しようとする課題】
【０００６】  スマートフォンを始めとしたモバイル端末は、ゲーム、ウェブサイトの閲覧、動画コンテンツの視聴など、様々な用途に使用されている。一方、モバイル端末を適切に管理しなければ、無分別に時間を消費する、子供が親のモバイル端末を用いて無断で課金をするなど、問題が生じる原因となり得る。特に子供が使用する際には、使用時間などの取り決めを遵守させるため、親がモバイル端末を取り上げ、管理することがあった。しかし、モバイル端末を使用させないために金庫の中などに保管すると、その間は充電できず、次回使用する際に支障をきたすという問題があった。
【０００７】  モバイル端末の使用を制限するためのアプリケーションを用いた場合には、アプリケーションのインストールや設定が必要であり、電子機器の扱いを得意としない者には、利用が困難である場合があった。また、モバイル端末の使用を望む者がアプリケーションの扱いに習熟している場合、使用制限を解除可能であり得る。そのため、モバイル端末の使用を制限できていないかもしれないという懸念を払拭しきれず、目的を達成できているか判断できないという問題があった。
【０００８】  特許文献１には、予め設定された条件に基づいて、携帯情報端末のユーザインターフェースを遮断する保護ケースが開示されている。しかし、この保護ケースは、携帯情報端末の機種に対応する製品を用いなければならず、また、使用を制限または制限を解除する際には、電力が必要であるという問題があった。
【０００９】  本発明はこのような事情に鑑みてなされたものであり、簡便な方法により、モバイル端末が使用されていないことを明白にしながら、モバイル端末の使用を制限する技術を提供することを目的とする。
【課題を解決するための手段】
【００１０】  本発明は以上の課題を解決するため、次の構成を採用する。
〈構成１〉
セキュリティシールが貼付されたフラップ部を有し、一方の面が透明であり、他方の面が不透明または内容物の視認を妨げる印刷が施された、モバイル端末用の袋。
【００１１】〈構成２〉
底部に穴を有する、構成１に記載の袋。
【００１２】  これらの構成において、モバイル端末の使用を制限する際には、モバイル端末の表示部が、本発明の袋の不透明または視認を妨げる印刷が施されている方の面を向くように、袋の中に収容する。これにより、モバイル端末を袋に入れている間は、表示部の表示を視認することができず、実質的にモバイル端末を使用することができない。
【００１３】  モバイル端末を挿入後、フラップ部を折り、セキュリティシールで袋本体に貼り付けて封止する。ここでセキュリティシールとは、剥がしたら再度貼り付けることができず、かつ、剥がしたことが識別可能となるという特徴を有するシールである。封印シール、ＶＯＩＤシール、改ざん防止シールなどの名称で市販されている。これを剥がすと、テープの一部が接着部に残り、例えば「開封済」、「ＯＰＥＮＥＤ」などの文字が表示される。そのため、セキュリティシールが剥がされていなければ、袋が開封されていないことが明白である。
【００１４】  本発明の袋の底部に穴が空いていることにより、モバイル端末の充電に用いるケーブルを穴から挿入し、充電を行うことができる。この際、袋の片面が透明であるため、モバイル端末に充電用ケーブルを容易に挿入することができる。
【００１５】  本発明の袋はプラスチックフィルムを用いて、安価に製造することが可能である。また、袋とモバイル端末の寸法が概ね対応していればよく、機種の一つ一つに対応する製品を用いる必要はない。
【発明の効果】
【００１６】  本発明の構成により、簡便な方法によってモバイル端末の使用を制限し、また、制限中はモバイル端末が使用されなかったことを容易に確認することができる。さらに、モバイル端末の使用を制限している間に、充電を行うことが可能である。
【図面の簡単な説明】
【００１７】
【図１】本発明の実施形態における、モバイル端末の使用を制限する袋の平面図である。
【図２】本発明の実施形態における、本発明の袋にモバイル端末を挿入中の状態を示す図である。
【図３】本発明の実施形態における、本発明の袋にモバイル端末を挿入後の状態を示す図である。
【図４】本発明の実施形態における、本発明の袋のフラップ部を示す図である。
【図５】本発明の実施形態における、封止した本発明の袋を開封中の状態を示す図である。
【図６】本発明の実施形態における、本発明の袋の底部を示す図である。
【発明を実施するための形態】
【００１８】  以下、本発明の実施形態について、図面を参照しながら説明する。
【実施例１】
【００１９】  図１は、本発明のモバイル端末の使用を制限する袋の平面図である。本発明が対象とするモバイル端末は、一方の面に表示部を有し、持ち歩いて使用することが可能な電子機器である。例えば、スマートフォン、タブレット、ファブレット、ＰＤＡ（Ｐｅｒｓｏｎａｌ  Ｄｉｇｉｔａｌ  Ａｓｓｉｓｔａｎｔ）、電子書籍リーダーなどが挙げられるが、これらに限定されるものではない。【００２０】  本発明の袋の寸法は、モバイル端末を収容可能であり、かつ袋の中で収容したモバイル端末の向きを変え、反転させることが容易でない寸法であればよい。【００２１】  図２は、本発明の袋にモバイル端末を挿入中の状態を示す図である。本発明の袋は一方の面が透明であり、他方の面は不透明であるか、内容物の視認を妨げる印刷が施されている。このため、挿入したモバイル端末の表示部に情報やコンテンツが表示されても、ユーザは実質的に視認することができない。印刷は、黒やシルバーを用いたグラビア印刷など、内容物の視認を妨げるものであれば、任意の方法であってよい。【００２２】  図３は、本発明の袋にモバイル端末を挿入後の状態を示す図である。袋の一方の面が透明であるため、モバイル端末を収容していることが明らかである。そのため、高価なモバイル端末であっても安心して使用することができる。また、複数のモバイル端末の使用を制限する場合であっても、どの袋にどのモバイル端末を収容したか、判別することができる。【００２３】  図４は、本発明の袋のフラップ部を示す図である。セキュリティシールが貼付されており、テープを剥がし、フラップ部を折り曲げて袋の本体に押圧することで、袋を封止することができる。【００２４】  図５は、封止した本発明の袋を開封中の状態を示す図である。一度接着したセキュリティシールを剥がすと、シールの一部が接着部に残るため、開封されたことが容易に識別可能である。【００２５】  図６は、本発明の袋の底部を示す図である。本発明の袋の底部には穴が設けられ、この穴を通じて充電用ケーブルを挿入し、モバイル端末を充電することが可能である。
【符号の説明】
【００２６】１  袋本体
２  フラップ部
３  セキュリティシール
４  穴
５  モバイル端末
６  テープ
【図１】
2020026311.tif 000003
【図２】
2020026311.tif 000004
【図３】
2020026311.tif 000005
【図４】
2020026311.tif 000006
【図５】
2020026311.tif 000007
【図６】
2020026311.tif 000008